(57)【要約】【課題】移動通信端末機が在圏する単位料金区域を特定し、この特定区域の通信料を一定とする等の課金サービスを行うことを可能とすること。【解決手段】ＢＢＲＴ２１に当該ＢＢＲＴ２１の設置地域のＣＡ情報を入力操作にて設定保持し、ＢＢＲＴ２１の認証時に認証サーバへ通知し、この保持したＣＡ情報を、そのＢＢＲＴ２１を介した携帯電話機２４の認証要求時に認証サーバ３３を介して在圏管理サーバ３５へ保持し、更に同携帯電話機２４の在圏登録要求時に在圏登録応答に設定してＳＩＰサーバ３４へ返信する。これによってＳＩＰサーバ３４にＣＡ情報を保持し、携帯電話機２４が通話発信時にＳＩＰサーバ３４を介すことにより通話時の単位料金区域の特定を可能とした。【選択図】      図１
2008131370.tif 000002
【特許請求の範囲】
【請求項１】
移動通信端末機が無線ＬＡＮ通信を行うルータの認証後に同ルータに任意のＩＰアドレスが割当てられた後、このルータの無線通信圏内に移動通信端末機が在圏した場合、当該移動通信端末機がルータを介して移動体通信網にアクセスし、この移動体通信網に配備された端末機認証用の認証サーバと、先に割当てられたＩＰアドレスをもとにルータを介してアクセスされる移動通信端末機の通信開始から終了までを制御するＳＩＰサーバと、このＳＩＰサーバから転送されてきた移動通信端末機の在圏登録要求に応じて要求元移動通信端末機の在圏登録処理を行う在圏管理サーバと連携して通信を行う無線ＬＡＮにおける単位料金区域特定システムにおいて、
前記ルータは、自ルータの設置地域の単位料金区域情報が入力操作で設定保持された後、この単位料金区域情報を、ルータ認証用の認証要求信号に設定する入力設定手段を備え、
前記認証サーバは、前記ルータの認証要求信号の受信時に、当該認証要求信号に設定された単位料金区域情報を保持する単位料金区域情報保持手段を備え、
前記認証サーバは、前記移動通信端末機からの認証要求信号の受信時に、前記ルータを経由した通信であることを把握し、前記単位料金区域情報保持手段にて取得した単位料金区域情報を認証要求元の移動通信端末機の固有情報と共に前記在圏管理サーバへ通知する通知手段を備え、
前記在圏管理サーバは、前記通知手段から通知された単位料金区域情報と認証要求元の移動通信端末機の固有情報とを対応付けて保持する保持手段と、前記ＳＩＰサーバから転送されてきた在圏登録信号の送信元の移動通信端末機と同じ固有情報が前記保持手段に保持されている際に、これら保持された固有情報及び単位料金区域情報を、前記ＳＩＰサーバへ返信される在圏登録応答信号に設定する設定手段とを備えた
ことを特徴とする無線ＬＡＮにおける単位料金区域特定システム。
【発明の詳細な説明】
【技術分野】
【０００１】
本発明は、携帯電話機等の移動通信端末機が無線ＬＡＮ(Local Area Network)の構成要素である無線通信用のブロードバンドルータを介して通信を行うＶｏＩＰ(Voice over Internet Protocol)サービス提供時に、通信対象の移動通信端末機が在圏する単位料金区域の特定を可能とする無線ＬＡＮにおける単位料金区域特定システムに関する。
【背景技術】
【０００２】
移動通信端末機が無線ＬＡＮの構成要素であるブロードバンドルータを介して通信を行う場合のＶｏＩＰサービス提供システムとして、例えば、特許文献１に記載のＶｏＩＰ認証システムがある。このシステムは、ネットワーク内にＳＩＰ(Session Initiation Protocol)サーバを配置し、このＳＩＰサーバに移動通信端末機等の端末機固有の認証データを予め登録しておく。そして、端末機がネットワーク機器を介してネットワークへ接続を試みる際に自己の認証データをＳＩＰサーバに対して送信すると、ネットワーク機器がＳＩＰサーバに対して上記認証データの中継を行い、ＳＩＰサーバが上記認証データを照合し、登録済みであるならば端末機に対して接続の許可を通知する。この通知に基づきネットワーク機器は、ＳＩＰサーバが接続を許可した認証済端末データを記憶し、この記憶に基づいて以後の端末の通信を許可するといった内容である。
【０００３】
ところで通常、移動通信端末機は、携帯電話機に代表されるように、移動体通信システム、ＰＳＴＮ(Public Switched Telephone Networks)等で通信を行う。この場合の携帯電話機での音声通話時においては、発信側の交換機が加入者の料金明細情報を作成するための情報として着信網から取得した後述で説明する単位料金区域の情報｛ＣＡ(Charging Area)情報とも称す｝を取得するようになっている。交換機は、その取得したＣＡ情報を参照して適切なレートにて課金を行う。
【０００４】
単位料金区域｛ＣＡ(Charging Area)｝とは、通常の市内・市外通話料金の区域とは別に定められる料金区域であり、発信側交換機の単位料金区域と着信側交換機の単位料金区域との関係で通話料金が決定される。通常は市外局番が同じであれば同一の単位料金区域となっており、この場合、同一市外局番同士の電話機であれば市内通話料金で通話ができる。
【０００５】
しかし、単位料金区域は、市外局番が異なった区域に同一の単位料金区域を定めることもでき、この場合、市外局番が異なるにも係わらず市内通話料金で電話をかけることができる。
また、単位料金区域は、その単位料金区域に与えられた電気通信事業者共通の５桁の識別コード（例えば、東京：３２０００、横須賀：４６８００）で識別可能となっている。
【０００６】
例えば、図３に示すように、発信側の携帯電話機１０が移動体通信網１１の発信側交換機１２及び着信側交換機１３を介して着信側の携帯電話機１４と通話を行う場合を想定する。移動体通信網１１においては、各交換機１２，１３が東京、横須賀など地域毎に設置されているので、移動通信端末機が使用する交換機の位置に対応するＣＡを特定することができるようになっている。従って、下記のようにＣＡを特定して課金サービスを行うことができる。
【０００７】
まず、発信側携帯電話機１０からの発信信号Ｓ１は、発信側交換機１２及び着信側交換機１３を介して着信側携帯電話機１４へ送信される。その発信信号Ｓ１を受信した着信側携帯電話機１４は発信応答信号Ｓ２を返信する。この発信応答信号Ｓ２は、着信側交換機１３へ送信され、ここで当該交換機１３が存在する単位料金区域の情報（ＣＡ情報）が発信応答信号Ｓ２に設定され、発信側交換機１２へ送信される。発信側交換機１２では、その発信応答信号Ｓ２に設定された着信側のＣＡ情報と、自交換機１２の発信側のＣＡ情報との関係で通話料金が決定されて発信側携帯電話機１０に課金が行われる。
【特許文献１】特開２００５−２３６３９２号公報
【発明の開示】
【発明が解決しようとする課題】
【０００８】
上述したように、移動通信端末機は移動体通信システムやＰＳＴＮにおいては、携帯電話機の単位料金区域を特定し、この区域で通信料を一定とする等の課金サービスを行うことが可能となる。
しかし、特許文献１では、ＶｏＩＰ認証時にＳＩＰサーバで端末機の認証データと予め登録された認証データとを照合し、ＯＫであれば該当端末機の認証済端末データを記憶して通信を許可するので、セキュリティレベルを向上させた通信が可能となるが、端末機が在圏する単位料金区域を特定し、この特定区域の通信料を一定とする等の課金サービスを行うことができないという問題がある。
【０００９】
本発明は、このような課題に鑑みてなされたものであり、移動通信端末機が在圏する単位料金区域を特定し、この特定区域の通信料を一定とする等の課金サービスを行うことを可能とする無線ＬＡＮにおける単位料金区域特定システムを提供することを目的としている。
【課題を解決するための手段】
【００１０】
上記目的を達成するために、本発明の請求項１による無線ＬＡＮにおける単位料金区域特定システムは、移動通信端末機が無線ＬＡＮ通信を行うルータの認証後に同ルータに任意のＩＰアドレスが割当てられた後、このルータの無線通信圏内に移動通信端末機が在圏した場合、当該移動通信端末機がルータを介して移動体通信網にアクセスし、この移動体通信網に配備された端末機認証用の認証サーバと、先に割当てられたＩＰアドレスをもとにルータを介してアクセスされる移動通信端末機の通信開始から終了までを制御するＳＩＰサーバと、このＳＩＰサーバから転送されてきた移動通信端末機の在圏登録要求に応じて要求元移動通信端末機の在圏登録処理を行う在圏管理サーバと連携して通信を行う無線ＬＡＮにおける単位料金区域特定システムにおいて、前記ルータは、自ルータの設置地域の単位料金区域情報が入力操作で設定保持された後、この単位料金区域情報を、ルータ認証用の認証要求信号に設定する入力設定手段を備え、前記認証サーバは、前記ルータの認証要求信号の受信時に、当該認証要求信号に設定された単位料金区域情報を保持する単位料金区域情報保持手段を備え、前記認証サーバは、前記移動通信端末機からの認証要求信号の受信時に、前記ルータを経由した通信であることを把握し、前記単位料金区域情報保持手段にて取得した単位料金区域情報を認証要求元の移動通信端末機の固有情報と共に前記在圏管理サーバへ通知する通知手段を備え、前記在圏管理サーバは、前記通知手段から通知された単位料金区域情報と認証要求元の移動通信端末機の固有情報とを対応付けて保持する保持手段と、前記ＳＩＰサーバから転送されてきた在圏登録信号の送信元の移動通信端末機と同じ固有情報が前記保持手段に保持されている際に、これら保持された固有情報及び単位料金区域情報を、前記ＳＩＰサーバへ返信される在圏登録応答信号に設定する設定手段とを備えたことを特徴とする。
【００１１】
この構成によれば、ルータに当該ルータの設置地域の単位料金区域情報を入力操作にて設定保持し、この保持した単位料金区域情報を、そのルータの認証時に認証サーバへ通知し、移動通信端末機の認証要求時に該当ルータを経由した通信である場合に該当ルータから通知された単位料金区域情報を認証サーバを介して在圏管理サーバへ保持し、更に同移動通信端末機の在圏登録要求時に在圏登録応答に設定してＳＩＰサーバへ返信するようにしたので、ＳＩＰサーバに単位料金区域情報を保持することができる。従って、ＳＩＰサーバに単位料金区域情報を保持後、移動通信端末機が通信相手へ発信を行えば、単位料金区域情報が保存されたＳＩＰサーバを介して相手の移動通信端末機へ着信が行われるので、通話双方の移動通信端末機が在圏する単位料金区域を特定することができ、この特定区域の通信料を一定とする等の課金サービスを行うことが可能となる。
【発明の効果】
【００１２】
以上説明したように本発明によれば、移動通信端末機が在圏する単位料金区域を特定し、この特定区域の通信料を一定とする等の課金サービスを行うことが可能となるという効果がある。
【発明を実施するための最良の形態】
【００１３】
以下、本発明の実施の形態を、図面を参照して説明する。但し、本明細書中の全図において相互に対応する部分には同一符号を付し、重複部分においては後述での説明を適時省略する。
【００１４】
図１は、本発明の実施の形態に係る無線ＬＡＮにおける単位料金区域特定システムの構成を示すブロック図である。
図１に示す無線ＬＡＮにおける単位料金区域特定システム２０は、ユーザ宅内に設置された無線ＬＡＮ通信用のルータであるＢＢＲＴ(Broadband Router)２１と、ＢＢＲＴ２１を介して通信を行い、ＣＡ入力設定部（入力設定手段）２１ａを有する携帯電話機２４と、ＢＢＲＴ２１が図示せぬＩＰ(Internet Protocol)網を介して接続される移動体通信網３１と、この移動体通信網３１に配備され、ＣＡ通知部（通知手段）３３ａを有する認証サーバ３３と、ＳＩＰ(Session Initiation Protocol)サーバ３４と、ＣＡ保持部（保持手段）３５ａ及びＣＡ設定部（設定手段）３５ｂを有する在圏管理サーバ３５とを備えて構成されている。
【００１５】
ＢＢＲＴ２１は、本例のように宅内等にて携帯電話機２４をインターネットに接続するための無線通信機能を有するルータであり、ＢＢＲＴ電源立上げ時やＢＢＲＴ設定時に、認証サーバに向けてユーザＩＤ，パスワードを送信して認証処理を実施するようになっている。
また、ＢＢＲＴ２１のＣＡ入力設定部２１ａは、既に前述で説明したＣＡ情報である単位料金区域の識別コード（例えば、東京：３２０００、横須賀：４６８００…）の表（以降、ＣＡコード表と称す）を参照しながら、当該ＢＢＲＴ２１が設置されている地域のＣＡ情報を操作入力して設定保持できる処理機能と、認証サーバに対してＣＡ情報を通知する処理を行なうものである。
【００１６】
認証サーバ３３は、ＢＢＲＴ２１からＣＡ情報を設定した認証要求信号受信を受信した際に、認証を行い、この結果を認証応答信号としてＢＢＲＴ２１へ返信する。その際、ＢＢＲＴとＣＡ情報を関連付けるデータを保持する。
携帯電話機２４からの認証要求信号を受信した際に、認証を行い、この結果を認証応答信号として携帯電話機２４へ返信する。その際、携帯電話機２４が経由してきたＢＢＲＴを送信元ＩＰアドレス等の情報により、特定し、携帯電話機２４とＣＡ情報の関連付けを行なう。また、ＣＡ通知部３３ａによって認証要求信号中のＣＡ情報を認証要求元携帯電話機２４の固有情報と共に在圏管理サーバ３５へ通知する。
【００１７】
在圏管理サーバ３５は、認証サーバ３３から通知されたＣＡ情報を認証要求元携帯電話機２４の固有情報と共にＣＡ保持部３５ａに保持する。
また、在圏管理サーバ３５は、在圏登録処理時にＳＩＰサーバ３４から転送されてきた在圏登録信号をもとに、当該在圏登録信号の送信元携帯電話機２４がどのＳＩＰサーバ３４配下に在圏するかを保持したのち、在圏登録が完了したことを送信元携帯電話機２４の加入者情報を含めて在圏登録応答として、在圏登録信号を転送してきたＳＩＰサーバ３４へ返信する。
【００１８】
更に、在圏管理サーバ３５は、受信した在圏登録信号の送信元携帯電話機２４の固有情報がＣＡ保持部３５ａに保持されている場合、その固有情報と共に保持されているＣＡ情報を、ＣＡ設定部３５ｂによって在圏登録応答に設定する。
ＳＩＰサーバ３４は、携帯電話機の通信時の開始から完了までを制御するサーバであり、在圏管理サーバ３５からの在圏登録応答に含まれる加入者情報並びにＣＡ情報を保持する。
【００１９】
このような構成の無線ＬＡＮにおける単位料金区域特定システム２０において、無線ＬＡＮ利用の携帯電話機が在圏する単位料金区域の特定動作を、図２に示すシーケンス図を参照して説明する。
まず、ステップＳ１において、ＢＢＲＴ２１の利用者が、ＣＡ入力設定部２１ａにて、ＣＡコード表を参照しながら当該ＢＢＲＴ２１の設置地域（例えば東京のＣＡ情報（３２０００）を操作入力して設定したとする。
【００２０】
その後、ＢＢＲＴ２３はステップＳ２並びにステップＳ３において、ＣＡ情報を設定した認証要求信号を認証サーバ３３へ送信したとする。
認証サーバ３３はステップＳ４において認証処理を実施し、その際、ステップＳ５にてＢＢＲＴとＣＡ情報を関連付けるデータを保持する。
その後、携帯電話機２４がＢＢＲＴ２１の無線通信圏内、即ち無線ＬＡＮ圏内に在圏し、ステップＳ７において、自機認証のために認証要求信号をＢＢＲＴ２１を介して認証サーバ３３へ送信したとする。
【００２１】
この認証要求信号を受信した認証サーバ３３は、ステップＳ８において、認証要求元携帯電話機２４の認証を行い、この認証がＯＫであれば、ステップＳ１０において、その携帯電話機２４へ認証ＯＫの応答を返信する。その際、認証サーバはステップ９にて携帯電話機２４が使用しているＢＢＲＴ２１をＩＰアドレス等により特定し、先に保持しているＣＡ情報と携帯電話機２４との関連付けを行なう。更に、認証サーバ３３は、ステップＳ１１において、ＣＡ通知部３３ａによってＣＡ情報を認証要求元携帯電話機２４の固有情報と共に在圏管理サーバ３５へ通知する。
【００２２】
この通知を受けた在圏管理サーバ３５は、ステップＳ１２において、認証サーバ３３から通知されたＣＡ情報を認証要求元携帯電話機２４の固有情報と共にＣＡ保持部３５ａに保持する。
一方、上記にて認証が行われた携帯電話機２４は、ステップＳ１３において、在圏登録信号をＢＢＲＴ２１を介して、既に割当てられたアドレスのＳＩＰサーバ３４へ送信し、これを受信したＳＩＰサーバ３４が、ステップＳ１４において、その在圏登録信号を在圏管理サーバ３５へ転送する。
【００２３】
これを受信した在圏管理サーバ３５は、ステップＳ１５において、携帯電話機２４がどのＳＩＰサーバ配下に在圏したかを保持する。ここで、在圏登録が完了したことを、登録加入者情報を含めて在圏登録応答としてＳＩＰサーバ３４へ返信するが、この際、ステップＳ１６において、在圏管理サーバ３５は、受信在圏登録信号の送信元携帯電話機２４の固有情報がＣＡ保持部３５ａに保持されている場合、その固有情報と共に保持されているＣＡ情報を在圏登録応答に設定する。
【００２４】
そして、ステップＳ１７において、加入者情報及びＣＡ情報を含む在圏登録応答信号をＳＩＰサーバ３４へ返信する。
これを受けたＳＩＰサーバ３４は、ステップＳ１８において、在圏登録応答信号中の加入者情報とＣＡ情報とを対応付けて保持した後、ステップＳ１９において、在圏登録の完了を示す在圏登録応答をＢＢＲＴ２１を介して該当携帯電話機２４へ返信する。
【００２５】
この在圏登録応答を受信した携帯電話機２４が、ステップＳ２０において図示せぬ相手側の携帯電話機へ通話発信を行うと、既に割当てられたアドレスのＳＩＰサーバ３４を介して相手側の携帯電話機へ着信されるようになる。
このように、本実施の形態の無線ＬＡＮにおける単位料金区域特定システム２０によれば、ＢＢＲＴ２１において自ＢＢＲＴ２１の設置地域のＣＡ情報を、ＣＡ入力設定部２１ａに入力操作で設定保持し、この保持されたＣＡ情報を、ＢＢＲＴ２１の認証要求信号に設定し、認証サーバ３３へ送信される。
【００２６】
認証サーバ３３は、その認証要求信号の受信時に、ＢＢＲＴとＣＡ情報の関連付けデータを保持する。
その後、認証サーバ３３は、携帯電話機２４からの認証要求受信時に、携帯電話機２４が使用しているＢＢＲＴを特定し、ＣＡ情報と携帯電話機の関連付けを行なう。その後、ＣＡ通知部３３ａによって、ＣＡ情報を認証要求元の携帯電話機２４の固有情報と共に在圏管理サーバ３５へ通知する。
【００２７】
在圏管理サーバ３５は、その通知されたＣＡ情報と認証要求元の携帯電話機２４の固有情報とを対応付けてＣＡ保持部３５ａに保持し、また、ＳＩＰサーバ３４から転送されてきた在圏登録信号の送信元の携帯電話機２４と同じ固有情報がＣＡ保持部３５ａに保持されている場合に、ＣＡ設定部３５ｂによって、それら保持された固有情報及びＣＡ情報を、ＳＩＰサーバ３４へ返信される在圏登録応答信号に設定するようにした。
【００２８】
つまり、ＢＢＲＴ２１に当該ＢＢＲＴ２１の設置地域のＣＡ情報を入力操作にて設定保持し、この保持したＣＡ情報を、ＢＢＲＴ２１の認証時に認証サーバへ通知し、そのＢＢＲＴ２１を介した携帯電話機２４の認証要求時に認証サーバ３３を介して在圏管理サーバ３５へ保持し、更に同携帯電話機２４の在圏登録要求時に在圏登録応答に設定してＳＩＰサーバ３４へ返信する。これによってＳＩＰサーバ３４にＣＡ情報を保持し、携帯電話機２４が通話発信時にＳＩＰサーバ３４を介すことにより通話時の単位料金区域の特定を可能としたので、特定区域の通信料を一定とする等の課金サービスを行うことが可能となる。
【図面の簡単な説明】
【００２９】
【図１】本発明の実施の形態に係る無線ＬＡＮにおける単位料金区域特定システムの構成を示すブロック図である。
【図２】上記単位料金区域特定システムにおいて無線ＬＡＮ利用の携帯電話機が在圏する単位料金区域の特定動作を説明するためのシーケンス図である。
【図３】従来の移動体通信網の構成を示すブロック図である。
【符号の説明】
【００３０】
２０  無線ＬＡＮにおける単位料金区域特定システム
２１  ＢＢＲＴ
２１ａ  ＣＡ入力設定部
２４  携帯電話機
３１  移動体通信網
３３  認証サーバ
３３ａ  ＣＡ通知部
３４  ＳＩＰサーバ
３５  在圏管理サーバ
３５ａ  ＣＡ保持部
３５ｂ  ＣＡ設定部
【図１】
2008131370.tif 000003
【図２】
2008131370.tif 000004
【図３】
2008131370.tif 000005